(57)【要約】【課題】  施工が簡単で仕上がりの精度や外観的にも優れ、枠見込み幅を十分に広くとることが可能となり、取手やレバ−ハンドル等が開口部壁面から突出することを防止でき、お年寄りや体の不自由な人にとって、安全で、使い勝手の良いドアを可能とする。従来寸法の特注でない枠本体と調整部材と調整枠を組み合わせて用い、特注対応不要で、コスト、納期的にも有利なドア枠構造を安価に提供する。【解決手段】  縦枠と上枠からなるドア枠において、該ドア枠は、枠本体と、調整部材と調整枠とからなり、枠本体及び調整部材の見込み幅方向の端面どうしが当接し、幅広に形成され、枠本体及び調整部材の見込み幅方向の外側端面に、嵌合凹部が形成され、嵌合片とそれと略直角に形成される固定片からなる断面略Ｌ字型の調整枠の嵌合片が前記嵌合凹部に嵌入され、壁面の厚みに応じて、嵌合深さを調整可能なようにした。【選択図】        図２
2006009347.tif 000002
【特許請求の範囲】
【請求項１】
建物の壁面開口部に設けられる左右の縦枠と上部の上枠とからなるドア枠において、該ドア枠は、枠本体と、調整部材と、調整枠からなり、枠本体及び調整部材の見込み幅方向の端面どうしが当接し、幅広に形成され、前記当接状態で、枠本体及び調整部材の見込み幅方向の外側端面に、長手方向にわたって、嵌合凹部が形成されており、嵌合片と該嵌合片と略直角に形成される固定片からなる断面略Ｌ字型の調整枠の前記嵌合片が前記嵌合凹部内を見込み幅方向に出入自在にスライドし、前記嵌合凹部に嵌入されていることを特徴とするドア枠構造。
【請求項２】
前記枠本体の厚みが前記調整部材の厚みよりも大きく、枠本体と調整部材との前記当接面で、段差が形成されていることを特徴とする請求項１に記載のドア枠構造。
【請求項３】
前記調整枠の固定片の内側面に切欠段部が形成され、前記固定片の端部において、突設部が設けられていることを特徴とする請求項１又は２に記載のドア枠構造。
【発明の詳細な説明】
【技術分野】
【０００１】
本発明は建物のドア枠構造に関し、詳しくは枠見込み幅の幅広タイプのドア枠構造に関する。
【背景技術】
【０００２】
従来、建物の開口部に開き扉タイプのドアと開口部周縁のドア枠を取り付ける場合、従来はドア枠の見込み幅寸法を簡単に変更したり調整したりすることが、かなり難しく、簡単には出来ないものが多く、その枠見込み幅も通常の場合、比較的狭い幅を有するものであった。また、近年、住む人のライフスタイルの多様化、住む人の好みやニ−ズの多様化に伴い、住宅の間取りや施工される壁面材の種類も多くなり、使用するドア等の建具の種類も豊富になってきた。さらに、壁厚も通常の約１００ｍｍ前後に比べて大きくするニ−ズも増加しつつある。
【０００３】
従って、壁面の厚みが建物の種類や使用する壁面材の種類によっても、さまざま異なる場合が多く、施工現場毎に若干、壁厚みが異なることも多く、そこで、さまざまな壁厚に対応できる、調整可能なタイプのドア枠として、いわゆるケ−シング枠タイプのドア枠が壁厚対応の容易さ、調整施工作業性や施工仕上がり性が良い等の観点から優れたドア枠として従来から数多く使用されてきた。
【０００４】
これは、ドア枠の見込み幅方向の端面に嵌入溝を設け、該嵌入溝に調整枠の嵌入片部分を嵌入させ、枠の見込み幅を調整可能とした構造のもので、一例として、施工性や作業性を低下させることなく、さまざまな壁厚に対応するために、ケ−シング枠タイプのドア枠において、断面略Ｌ字形状の見切り材の切断加工を精度良く、しかも簡単に行うことができるように、見切り材の縦片に設けられた適宜間隔の切溝を切断目印としたものがある。（例えば特許文献１参照。）。
【０００５】
【特許文献１】特開２０００−６４７１７号公報（第１−３ペ−ジ、第１図、第３図、第５図）。
【発明の開示】
【発明が解決しようとする課題】
【０００６】
ところで、通常幅を有するケ−シング枠は、特注生産による広幅タイプと比べると、幅が比較的狭く、ドア厚みが通常約４０〜５０ｍｍ程度とすると、戸当たり部分等を合わせても、枠の見込み幅がせいぜい約８０ｍｍ前後と比較的狭いものであった。このケ−シング枠タイプのドア枠の正面から見て、手前側と奥側に、調整枠を嵌入させ、約１００ｍｍ程度の通常の壁厚には十分対応できていた。
【０００７】
しかしながら、このように比較的狭い枠見込み幅のドア枠を用いて施工しても、ドア本体はせいぜい厚みが４０〜５０ｍｍ程度であり、ドア枠の見込み幅からドア本体がはみ出ることがない。しかし、ドアに取り付けられている取手やレバ−ハンドル、蝶番等が通常は、ドア本体の表面から突出しており、ドア枠の見込み幅から突出する場合が多く、お年寄りや体の不自由な人の住む住宅においては、建具のすぐ傍を歩行中、取手やレバ−ハンドルや蝶番等に引っ掛かる場合が発生することがあり、怪我をしたり、これが原因で転倒するなど、建具表面からの突出物は危険なことが多く、これが安全上の支障となることが多々あった。
【０００８】
このため、通常、使用される従来幅のドア枠に比べて、見込み幅の広いタイプのドア枠が必要になるが、特殊な広幅寸法の部材は特注扱いとなり、コスト的にも高価なものにつくばかりでなく、特注で製造すると、納期の面で、かなりかかる場合が多く大変不利になっていた。また、部材が特注になるばかりでなく、蝶番やラッチ受け金具等も特注品となり、コストや納期の面で大きな問題となっていた。
【０００９】
また、ドア等を取り付ける開口部まわりの壁面に不陸や若干の凹凸が生じている場合が多く、このため、前記調整枠が壁面と接する箇所において、前記不陸等が原因で隙間が発生することもあった。このため施工の仕上がり精度や外観の悪いものになることも多々あった。
【００１０】
また、上記従来技術、例えば、上記特開２０００−６４７１７号公報に記載のものにあっては、見切り材の嵌入部分の長さに限りがあり、壁厚の広い方への対応に限界があった。そのため、枠本体の見込み幅そのものを幅広にせざるを得ず、このため、特注枠となり、コスト、納期的にも問題が多々あった。また、部材が特注になるばかりでなく、蝶番やラッチ受け金具等も特注品となり、コストや納期の面で大きな問題となっていた。
さらに、見切り枠が壁面と接する箇所において、前記不陸等が原因での隙間に対して対応できなかった。
【００１１】
本発明は上述した事情に鑑みてなされるもので、施工が簡単であり、施工の仕上がりの精度や外観的にも優れると共に、従来から有る通常幅の枠本体及び調整部材と、それに嵌合する調整枠を組み合わせて用いるだけで、ドア枠の見込み幅を十分に広くとることが可能となり、ドア本体のみならず、取手やレバ−ハンドルや蝶番等の突出物までも、ドア枠の見込み幅寸法内に納めることができ、従って、取手やレバ−ハンドルや蝶番等の突出物が開口部の壁面から出っ張ることが防止でき、お年寄りや体の不自由な人にとっても、安全で、しかも使い勝手の良いドアを可能とする。さらに、従来から有る、蝶番やラッチ受け金具が使用可能で、しかも、特注でないドア枠と調整部材と調整枠を組み合わせるので、特注対応が不要となり、コスト、納期的にも有利なドア枠構造を提供することを課題とする。
【課題を解決するための手段】
【００１２】
上記課題を解決するためになされた請求項１に記載の本発明のドア枠構造は、建物の壁面開口部に設けられる左右の縦枠と上部の上枠とからなるドア枠において、該ドア枠は、枠本体と、調整部材と、調整枠からなり、枠本体及び調整部材の見込み幅方向の端面どうしが当接し、幅広に形成され、前記当接状態で、枠本体及び調整部材の見込み幅方向の外側端面に、長手方向にわたって、嵌合凹部が形成されており、嵌合片と該嵌合片と略直角に形成される固定片からなる断面略Ｌ字型の調整枠の前記嵌合片が前記嵌合凹部内を見込み幅方向に、出入自在にスライドし、前記嵌合凹部に嵌入されていることを特徴としている。
【００１３】
このような構成を有する本発明によれば、従来からの寸法サイズの枠本体、調整部材及びそれに嵌合する調整枠を組み合わせて用いるので、ドア枠の見込み幅を十分に広くとることができ、そのため、取手やレバ−ハンドルや蝶番等の突出物をなくすことが可能となり、お年寄りや体の不自由な人にとっても、安全で、使い勝手の良いドアが可能となる。さらに、特注でない従来の寸法サイズのドア枠、調整部材、調整枠を組み合わせて用いるので、特注対応が不要となり、コスト、納期的にも有利なものとなる。また、部材が特注対応不要となるばかりでなく、蝶番やラッチ受け金具等も従来品が使用可能となり、コストや納期の面で大変有利になる。
【００１４】
請求項２に記載の本発明のドア枠構造は、請求項１に記載のドア枠構造において、前記枠本体の厚みが前記調整部材の厚みよりも大きく、枠本体と調整部材との前記当接面で、段差が形成されていることを特徴としている。
【００１５】
このような構成を有する本発明によれば、枠本体と調整部材との当接面で、前記段差が形成されるようにしたので、枠本体と調整部材との当接面において、若干の隙間や部材端縁の若干のササクレ等が生じていても目立ちにくく、施工の仕上がり外観的にも優れたものとなる。
【００１６】
請求項３に記載の本発明のドア枠構造は、請求項１又は２に記載のドア枠構造において、前記調整枠の固定片の内側面に切欠段部が形成され、前記固定片の端部において、突設部が設けられていることを特徴としている。
【００１７】
このような構成を有する本発明によれば、ドア等を取り付ける開口部まわりの壁面に不陸や若干の凹凸が生じていても、前記調整枠の固定片が壁面と接する箇所において、前記不陸等が原因で生じ易い隙間の発生を有効に防止できる。このため、施工の仕上がり精度や外観が向上する。
【発明の効果】
【００１８】
本発明によれば、従来からの寸法サイズの枠本体、調整部材及びそれに嵌合する調整枠を組み合わせて用いることで、枠の見込み幅を十分に広くすることができる。そのため、開口部壁面からドアの取手やレバ−ハンドルや蝶番等の突出物をなくすことが可能となり、お年寄りや体の不自由な人にとっても、安全で、使い勝手の良いドア枠構造が可能となる。さらに、特注でない従来の寸法サイズのドア枠、調整部材、調整枠を組み合わせて用いるので、特注対応が不要となり、コスト、納期的にも有利なものとななる。また、部材が特注対応不要となるばかりでなく、蝶番やラッチ受け金具等も従来品が使用可能となり、コストや納期の面で大変有利になる。
【００１９】
また、枠本体と調整部材とが当接する面において、段差が形成されるようにしたので、枠本体と調整部材との当接面において、若干の隙間や部材端縁の木質繊維の若干のササクレ等が生じていても目立ちにくく、施工の仕上がり外観的にも優れたものとなる。
【００２０】
また、前記調整枠の固定片の内側面に切欠段部を形成し、前記固定片の端部において、突設部を設けるようにしたので、ドア等を取り付ける開口部まわりの壁面に不陸や若干の凹凸が生じていても、前記調整枠の固定片が壁面と接する箇所において、不陸や凹凸等が原因で生じ易くなる壁面と調整枠との間の隙間の発生を有効に防止することができる。このため、施工の仕上がり精度や外観が向上する。
【発明を実施するための最良の形態】
【００２１】
本発明の詳細を図面に従って説明する。図１は本発明のドア枠構造の一実施形態を示す斜視図、図２は図１のＡ−Ａ線断面図である。図３は、本発明の調整枠の他の実施形態の詳細を示す断面図である。
【００２２】
図１、図２において、本発明のドア枠構造における、ドア枠１は住宅等建物の開口部の周縁に取り付けられ、開き扉タイプのドアＤ（図２参照）が、前記ドア枠１の内部に開閉自在に、例えば蝶番ＨＪ（図２参照）等で、枠本体２に取り付けられている。本発明のドア枠１は左右の縦枠３と上部の上枠４で構成されており、必要に応じて下部の床材Ｆ上に下枠５が設けられている。
【００２３】
本発明のドア枠１は、枠本体２と調整部材Ｊと手前側及び奥側の２本の調整枠Ｔとから構成されている。従来のドア枠の見込み幅（ドア枠を正面から見た場合の奥行き寸法）は通常の壁厚寸法（約１００ｍｍ前後）に対応可能な寸法が標準寸法とされており、通常よりも大きな壁厚寸法に対しては対応困難であったが、本発明のドア枠構造１は、枠本体２の見込み幅寸法を標準寸法のもので間に合わせ、枠本体２と調整部材Ｊの見込み幅方向を当接させることで通常よりも大きな壁厚寸法に対応可能に構成されている。すなわち、見込み幅寸法の不足部分は調整部材Ｊの見込み幅寸法で補完する構成となっている。
【００２４】
さらに、枠本体２と調整部材Ｊを見込み幅方向に当接させた状態で、それぞれ外側に面する端面（正面から見て手前側の端面及び奥側の端面）に嵌合凹部Ｕが形成されている。また、調整枠Ｔは嵌合片Ｐと該嵌合片Ｐに対して略直角に嵌合片Ｐ端部から形成されている固定片Ｃから構成されており、断面形状で略Ｌ字型形状を有している。
【００２５】
前記嵌合凹部Ｕに前記調整枠Ｔの嵌合片Ｐが嵌入され、嵌合片Ｐが嵌合凹部Ｕの溝の内部をスライドし、調整枠Ｔが出し入れ自在に構成されており、嵌合片Ｐの嵌合深さが調整できる構成となっている。このようにして、本発明のドア枠１の見込み幅は、通常よりも大きな壁厚に十分対応可能で、しかも、前記調整枠Ｔの嵌合片Ｐの嵌合深さを変えることで極めて簡単に広幅壁厚に対応できる。
【００２６】
また、壁面Ｍの表裏両面にある、前記二つの調整枠Ｔの二つの固定片Ｃによって前記壁面Ｍの端部を壁面Ｍの表裏から挟み込む形状となるように構成されている。この構成はドア枠１の左右２本の縦枠３及び上部の上枠４において、同様の構成となっている。
【００２７】
詳述すると、前記調整部材Ｊに形成された嵌合凹部Ｕの内部で、それに嵌入されている嵌合片Ｐが見込み幅方向にスライドし、嵌合片Ｐの嵌入深さを変化させることで、ドア枠１の見込み幅Ｗの寸法が大きくなったり、逆に小さくなったり変化させることが可能となる。このようにして、施工現場毎の壁厚の変化に十分対応可能な構成となっている。
【００２８】
縦枠３に設けられた戸当たり部材Ｅとラッチ受け金具Ｒの間にドアＤが納まるように構成されている。この時、ドアＤのハンドルＨや蝶番ＨＪが、ドア枠１の見込み幅Ｗの中に納まり、壁面Ｍから外へ出っ張らないような構成となっている。このような構成ゆえ、お年寄りや体の不自由な人のいる住宅においても、ドアＤからの突出物の開口部壁面Ｍからの突出を有効に防止でき、傍を歩行中に突出物に引っ掛かるなどして怪我をするなどの恐れがない。
【００２９】
このようにして、本発明のドア枠構造１を用いれば、枠見込み幅Ｗを広幅とするために、枠本体そのものを広幅にする必要が無く、従って特注対応不要となるばかりでなく、蝶番ＨＪやラッチ受け金具Ｒ等も従来品が使用可能となり、コストや納期の面で大変有利となる。
【００３０】
図２において、前記枠本体２の厚みが前記調整部材Ｊの厚みよりも大きく、枠本体２と調整部材Ｊとの見込み幅方向の当接面において、段差Ｇが形成されている。このように段差Ｇを設けることで、当接面における若干の隙間（図示せず）や木質繊維の若干のササクレ（図示せず）が視覚的に目立ちにくくなる。前記当接面においては、現場での施工精度が悪いと、ややもすると、隙間や木質繊維のササクレ等が発生し易くなるが、前記当接面に設けられた段差Ｇが、前記隙間やササクレから受ける違和感を視覚的に緩和させるように働き、さらに前記段差Ｇがデザインとして有効に働いて、見た目の外観意匠的にも優れたものとなる。枠製造時に木質繊維のササクレが発生したり、部材の仕上げ精度が悪いと前記当接面で隙間が発生したり、欠点が生じることがあるが、この木質繊維のササクレや隙間が前記段差Ｇによって視覚的に目立ちにくくなる。
【００３１】
また、本発明のドア枠構造１に用いる材料は、例えば一例を挙げると、ラワン、ジョンコン、メランティ−等の南洋材又は、レッドシダ−、イエロ−パイン等の針葉樹を木質繊維を平行させて積層して得られた平行合板（ＬＶＬ）、平行合板の両面に中比重繊維板（ＭＤＦ）を積層させた複合材等が好適なものとして挙げることができる。これら以外であっても良いものとする。
【００３２】
図３において、本発明の調整枠Ｔの他の実施形態の詳細を示す。調整枠Ｔの固定片Ｃの内側面、すなわち、施工後裏面側となる面に、図示するように切欠段部Ｑが形成され、該切欠段部Ｑによってスペ−スＫが形成されている。該切欠段部Ｑの深さは調整枠Ｔの固定片Ｃの厚みの約１０〜５０％程度で十分である。このような構成とすることで、調整枠Ｔの固定片Ｃの先端部に突設部Ｖが形成されることになる。
【００３３】
住宅の壁面には、ややもすれば凹凸面や不陸が生じていることが多いが、前記切欠段部Ｑ及び突設部Ｖが形成されていると、特に固定片Ｃが壁面Ｍと接する箇所において、固定片Ｃと壁面Ｍとの間で隙間等（図示せず）の発生を有効に防止できる。
【図面の簡単な説明】
【００３４】
【図１】本発明のドア枠構造の一実施形態を示す斜視図。
【図２】図１のＡ−Ａ線断面図。
【図３】本発明の調整枠Ｔの他の実施形態の詳細を示す断面図。
【符号の説明】
【００３５】
１      ドア枠
２      枠本体
３      縦枠
４      上枠
５      下枠
Ｊ      調整部材
Ｔ      調整枠
Ｐ      嵌合片
Ｃ      固定片
Ｑ      切欠段部
Ｋ      スペ−ス
Ｖ      突設部
Ｕ      嵌合凹部
Ｇ      段差
Ｄ      ドア
Ｈ      ハンドル
ＨＪ    蝶番
Ｅ      戸当たり部材
Ｒ      ラッチ受け金具
Ｗ      枠見込み幅
Ｍ      壁面
Ｆ      床材
【図１】
2006009347.tif 000003
【図２】
2006009347.tif 000004
【図３】
2006009347.tif 000005